(57)【要約】      （修正有）【課題】手袋に残った薬液等による周囲の汚損を防止できる手袋ホルダーを提供する。【解決手段】手袋ホルダー２は、底壁４ａと側壁４ｂ、４ｃ、４ｄ、４ｅとを有し、上部に開口４ｆが形成された箱体４と、箱体４の上方に設けられ、手袋の一部が箱体に収容されるように手袋を挟んで吊り下げる挟持部材１２と、を備えることにより、手袋から落下する薬液等は箱体４内に溜まり、周囲に飛散しないので、手袋に残った薬液等による周囲の汚染を防止できる。【選択図】図１
2018110669.tif 000002
【特許請求の範囲】
【請求項１】
手袋ホルダーであって、
底壁と側壁とを有し、上部に開口が形成された箱体と、
該箱体の上方に設けられ、手袋の一部が該箱体に収容されるように該手袋を挟んで吊り下げる挟持部材と、を備えることを特徴とする手袋ホルダー。
【請求項２】
前記箱体の側壁に固定され上方へ伸びる支持部材と、
該支持部材の上端部に基端側が連結されるアーム部材と、を更に備え、
前記挟持部材は、該アーム部材の先端側に設けられることを特徴とする請求項１に記載の手袋ホルダー。
【請求項３】
前記アーム部材は、前記支持部材の前記上端部を支点に該支持部材を含む面内で回動できるように該支持部材に連結されており、
該アーム部材を回動させることで、前記挟持部材は、前記手袋を吊り下げるための吊り下げ位置と該吊り下げ位置から離れた退避位置との間で移動することを特徴とする請求項１又は請求項２に記載の手袋ホルダー。
【発明の詳細な説明】
【技術分野】
【０００１】
本発明は、薬液等を取り扱う際に用いられる手袋を乾燥、保管するための手袋ホルダーに関する。
【背景技術】
【０００２】
工場や実験施設等で薬液を取り扱う際には、作業者への薬液の付着を防ぐ目的で、合成ゴム等の材料でなる手袋が使用される。使用後の手袋は、例えば、洗浄された上で、専用のハンガーや干し具等を用いて乾燥、保管される（例えば、特許文献１、特許文献２、及び特許文献３参照）。
【先行技術文献】
【特許文献】
【０００３】
【特許文献１】実開昭５４−１６０３３８号公報
【特許文献２】実開昭５７−１５５７９５号公報
【特許文献３】実開昭６４−４３８９８号公報
【発明の概要】
【発明が解決しようとする課題】
【０００４】
ところが、洗浄が不完全な場合等には、手袋に薬液が残ってしまうこともある。このような場合に、例えば、上述した専用のハンガーや干し具等を用いて手袋を乾燥、保管しようとすると、手袋に残った薬液が落下して、周囲の床やテーブル等を汚損する可能性が高かった。
【０００５】
本発明はかかる問題点に鑑みてなされたものであり、その目的とするところは、手袋に残った薬液等による周囲の汚損を防止できる手袋ホルダーを提供することである。
【課題を解決するための手段】
【０００６】
本発明の一態様によれば、手袋ホルダーであって、底壁と側壁とを有し、上部に開口が形成された箱体と、該箱体の上方に設けられ、手袋の一部が該箱体に収容されるように該手袋を挟んで吊り下げる挟持部材と、を備える手袋ホルダーが提供される。
【０００７】
上述した本発明の一態様において、前記箱体の側壁に固定され上方へ伸びる支持部材と、該支持部材の上端部に基端側が連結されるアーム部材と、を更に備え、前記挟持部材は、該アーム部材の先端側に設けられることが好ましい。
【０００８】
また、上述した本発明の一態様において、前記アーム部材は、前記支持部材の前記上端部を支点に該支持部材を含む面内で回動できるように該支持部材に連結されており、該アーム部材を回動させることで、前記挟持部材は、前記手袋を吊り下げるための吊り下げ位置と該吊り下げ位置から離れた退避位置との間で移動することが好ましい。
【発明の効果】
【０００９】
本発明の手袋ホルダーは、底壁と側壁とを有し、上部に開口が形成された箱体と、箱体の上方に設けられ、手袋の一部が箱体に収容されるように手袋を挟んで吊り下げる挟持部材と、を備えるので、手袋から落下する薬液等は箱体内に溜まり、周囲に飛散しない。よって、本発明の手袋ホルダーによれば、手袋に残った薬液等による周囲の汚損を防止できる。
【図面の簡単な説明】
【００１０】
【図１】手袋ホルダーの第１状態を模式的に示す斜視図である。
【図２】手袋ホルダーの第２状態を模式的に示す斜視図である。
【図３】手袋が吊り下げられた状態の手袋ホルダーを模式的に示す斜視図である。
【発明を実施するための形態】
【００１１】
添付図面を参照して、本発明の一態様に係る実施形態について説明する。図１及び図２は、手袋ホルダー２の構成例を模式的に示す斜視図である。なお、図１では、手袋ホルダー２の第１状態を模式的に示しており、図２では、手袋ホルダー２の第２状態を模式的に示している。
【００１２】
図１及び図２に示すように、手袋ホルダー２は、箱体４を備えている。箱体４は、例えば、平面視で矩形状に形成された底壁４ａと、底壁４ａの周縁部に下端部が接続された４つの側壁４ｂ、４ｃ、４ｄ、４ｅと、を有している。すなわち、４つの側壁４ｂ、４ｃ、４ｄ、４ｅが、底壁４ａを囲むように設けられている。
【００１３】
より具体的には、側壁４ｂの一方の側端部には、隣接する側壁４ｃの一方の側端部が接続されている。また、側壁４ｃの他方の側端部には、隣接する側壁４ｄの一方の側端部が接続されている。更に、側壁４ｄの他方の側端部には、隣接する側壁４ｅの一方の側端部が接続されている。そして、側壁４ｅの他方の側端部には、隣接する側壁４ｂの他方の側端部が接続されている。
【００１４】
４つの側壁４ｂ、４ｃ、４ｄ、４ｅの高さは、概ね等しくなっている。また、側壁４ｂ、４ｃ、４ｄ、４ｅの上端部によって、箱体４の開口４ｆが形成されている。すなわち、開口４ｆは、箱体４の上部に設けられている。側壁４ｂの上端側には、略Ｕ字状に切り欠かれた切り欠き部４ｇが形成されており、箱体４に手袋１４（図３参照）を収容し易くなっている。
【００１５】
側壁４ｂの反対に位置する側壁４ｄの上部には、上方へと伸びる支持部材６の下端側が螺子等の固定部材によって固定されている。支持部材６の上端部には、連結部材８を介してアーム部材１０の基端側が連結されている。アーム部材１０の先端側には、手袋１４を挟んで吊り下げるためのピンチ状の挟持部材１２が設けられている。
【００１６】
アーム部材１０は、連結部材８（すなわち、支持部材６の上端部）を支点に支持部材６を含む平面内で回動できるように支持部材６に連結されている。アーム部材１０を回動させることで、挟持部材１２は、手袋１４を吊り下げるための吊り下げ位置（図１）と、吊り下げ位置から離れた退避位置（図２）との間を移動する。
【００１７】
図１に示すように、挟持部材１２が吊り下げ位置に位置付けられる手袋ホルダー２の第１状態では、支持部材６の伸びる方向に対してアーム部材１０の伸びる方向が概ね直角になる。また、図２に示すように、挟持部材１２が退避位置に位置付けられる手袋ホルダー２の第２状態では、支持部材６の伸びる方向に対してアーム部材１０の伸びる方向が概ね平行になる。
【００１８】
ただし、第１状態及び第２状態は、必ずしも図１及び図２に示す状態でなくて良い。例えば、図１に示す第１状態から、アーム部材１０を９０°より大きな角度で回動させた位置（例えば、１８０°回動させた位置）を第２状態としても良い。この場合、アーム部材１０及び挟持部材１２の自重によって第２状態を安定的に維持できる。
【００１９】
支持部材６、アーム部材１０、挟持部材１２の形状、大きさ等にも特段の制限はないが、手袋１４を箱体４内に適切に収容するには、第２状態で開口４ｆの直上に挟持部材１２が配置されるように各部材の位置関係等を調整する必要がある。また、支持部材６は、箱体４に収容される手袋１４が底壁４ａに接触しない程度の高さ（長さ）に形成されることが望ましい。これにより、箱体４内に溜まった薬液等の付着により手袋１４が汚染されることはなくなる。
【００２０】
次に、上述した手袋ホルダー２の使用例について説明する。手袋を乾燥、保管する際には、例えば、図２に示すように、手袋ホルダー２を第２状態として挟持部材１２を退避位置に合わせる。そして、手袋１４を挟持部材１２で挟む。挟持部材１２で挟む手袋１４の位置に制限はないが、例えば、手を挿入するための挿入口を挟持部材１２で挟むと良い。この第２状態では、挟持部材１２が開口４ｆから離れているので、手袋１４を挟持部材１２で挟むための作業が容易になる。
【００２１】
手袋１４を挟持部材１２で挟んだ後には、例えば、手袋ホルダー２を第１状態として挟持部材１２を吊り下げ位置に合わせる。図３は、手袋１４が吊り下げられた状態の手袋ホルダー２を模式的に示す斜視図である。図３に示すように、アーム部材１０を回動させて挟持部材１２を吊り下げ位置に移動させると、手袋１４は吊り下げられ、その一部又は全部が箱体４内に収容される。
【００２２】
この状態では、手袋１４から落下する薬液等が箱体１４内に溜まり、周囲に飛散しない。なお、側壁４ｂの上端側には、略Ｕ字状に切り欠かれた切り欠き部４ｇが形成されているので、アーム部材１０を回動させる際に、側壁４ｂと手袋１４とが干渉してしまうこともない。その後、手袋１４を使用する際には、例えば、挟持部材１２を再び退避位置に移動させて、手袋１４を挟持部材１２から取り外せば良い。
【００２３】
以上のように、本実施形態の手袋ホルダー２は、底壁４ａと側壁４ｂ、４ｃ、４ｄ、４ｅとを有し、上部に開口４ｆが形成された箱体４と、箱体４の上方に設けられ、手袋１４の一部が箱体４に収容されるように手袋１４を挟んで吊り下げる挟持部材１２と、を備えるので、手袋１４から落下する薬液等は箱体４内に溜まり、周囲に飛散しない。よって、本実施形態の手袋ホルダー２によれば、手袋１４に残った薬液等による周囲の汚損を防止できる。
【００２４】
なお、本発明は、上記実施形態の記載に制限されず種々変更して実施可能である。例えば、上記実施形態の手袋ホルダー２では、左右の手袋１４を１個の挟持部材１２で挟んで吊り下げているが、２個の挟持部材で左右の手袋１４をそれぞれ挟んで吊り下げるようにしても良い。また、挟持部材は、アーム部材１０から取り外せるように構成されても良い。
【００２５】
アーム部材１０から取り外せるように構成された２個の挟持部材を用いる場合には、例えば、紐状の部材（例えば、伸縮性を持つゴム紐）で２個の挟持部材を連結しておくと良い。これにより、挟持部材の取り扱い易さを高められる。また、例えば、紐状の部材を首にかけ、挟持部材をアーム部材１０から取り外し、手袋１４に手を挿入することで、手袋１４を容易に装着できるようになる。手袋１４に残った薬液等が手に付着することもない。手袋１４の装着後には、挟持部材を手袋１４から取り外せば良い。
【００２６】
もちろん、紐状の部材（例えば、伸縮性を持つゴム紐）で左右の手袋１４を連結しておいても良い。この場合にも、紐状の部材を首にかけ、手袋１４に手を挿入することで、手袋１４を容易に装着できるようになる。手袋１４に残った薬液等が手に付着することもない。
【００２７】
その他、上記実施形態に係る構造、方法等は、本発明の目的の範囲を逸脱しない限りにおいて適宜変更して実施できる。
【符号の説明】
【００２８】
２  手袋ホルダー
４  箱体
４ａ  底壁
４ｂ、４ｃ、４ｄ、４ｅ  側壁
４ｆ  開口
４ｇ  切り欠き部
６  支持部材
８  連結部材
１０  アーム部材
１２  挟持部材
１４  手袋
【図１】
2018110669.tif 000003
【図２】
2018110669.tif 000004
【図３】
2018110669.tif 000005